(57)【要約】【課題】従来のスノーボードストッパー装置は、スノーボードから簡単に脱着ができず、スノーボード上面にストッパー装置の取り付けビスの跡が残る問題が有った、さらに部品点数も多く、重く構造も複雑であった。【解決手段】スノーボードが滑らない状態を保つため、くさび形状で雪面からの力を本体に伝えずに段（１８）部分だけで力を吸収する形状にし、取り付け取り外しが自由に出来る構造とし、ストッパーを外してもビスの跡が残らないようにした。またスライド式（図４）、折りたたみ式（図２）収縮式（図６）にする事により軽量化、小型化を可能にした。【選択図】      図１
2004215812.tif 000002
【特許請求の範囲】
【請求項１】
スノーボード部材上に取り付けられたスノーボード用ストッパー装置において、取り付け方法としてはビンデングステーにネジで取り付ける方法と、スノーボード部材上に吸盤で取り付ける方法または、接着剤で取り付ける方法とし、簡単にストッパー装置の脱着が可能であることを特徴とする装置。
【請求項２】
請求項１記載の発明において、ストッパー装置自体の部品点数が非常に少なく、スプリング部品を除きプラスチック樹脂及びゴム系材料を金型と射出成形機で製造する事を特徴とする装置。
【請求項３】
滑り出す時、レバー操作で接雪部を解除する方法、その他にスノーボードを操作する人が立ったまま後方に抜重動作することにより自動的に接雪部分が解除できる構造を特徴とする請求項１記載のストッパー装置。
【請求項４】
体重のかかるスノーボードと接雪部分から受ける圧力をストッパー部品の段部（１８）で受止める構造とし、ストッパー本体や取り付け部品の強度が低くとも良くストッパーの構造の簡素化と軽量化を特徴とするストッパー装置。
【請求項５】
折り畳み式、スライド式、ゴム収縮式のいずれも小型化が出来、ストッパーが邪魔にならずに滑走できることを特徴とする装置。
【発明の詳細な説明】
【０００１】
【発明の属する技術分野】
本発明はスノーボードを緩斜面で停止させる為のストッパー装置に関するものである。
【０００２】
【従来の技術】
従来のストッパー装置はスノーボード本体にビスで止められていた、その為にスノーボードから簡単に脱着ができず、ストッパーを外すとビスの跡が残る問題があった。また従来のストッパー装置は部品点数も多く、金属部品が多かったために、重く構造も複雑であった。
（例えば、特表平８―５０５０７１を参照）
【０００３】
【発明が解決しようとする課題】
従来のストッパー装置は、スノーボード上で体重のかかるボード面と接雪部分から受ける圧力をストッパー全体で受けている為、取り付け部の強度が必要となり、スノーボード本体にビスで止められていた。その為にスノーボードから簡単に脱着ができず、ストッパー装置を外すとビスの跡が残り、また金属を主とした部品点数が多く、重さ、大きさ、構造面での問題点、雪面との接触部品の作動方法もレバーでの出し入れが必要で手間がかかり、使用及び製作上でも問題点があった。本発明はこの問題をなくすためになされたものである。
【０００４】
【課題を解決するための手段】
上記目的を達成するために、本発明はスノーボードが滑らない状態を保てるようにくさび形状（２０）と凹凸のパターン形状（図７）を作り、雪面からの力をストッパー本体に伝えずに段部分（１８）だけで力を吸収することが出来るようにした。又、取り付け取り外しが自由に出来る吸盤（５）接着（６）ネジ（７）構造とし、ストッパー装置を外してもビスの跡が残らないようにした。ストッパー装置をスライド式（図５）、折りたたみ式（図２）ゴムによる収縮式（図６）にし、小型化、軽量化、簡素構造を可能にした。
【０００５】
ストッパー装置の使用方法は動作図（図３）のように取っ手部（１５）を持ち矢印の方向に動かしスノーボードのエッジ部（１９）に引っ掛けるようにする。その後ゆっくりとスノーボードを雪面に下ろすことにより、ストッパーの刃先部（２０）が雪面を捉え、ずり落ちないようになる。そのあとにスノーボダーが後方に抜重すると自動的にブレーキ部（１３）が外れる構造にした。
ストッパー装置をスノーボード本体からはずすときは、ネジ（７）を外すか吸盤のタブ接着剤のタブ（９）を引き上げることにより外れる。
【０００６】
【発明の実施の形態】
スノーボード用ストッパー装置を使う環境は、リフトの手前で片方のブーツをビンディングから外し、残った片足で雪面をけりながらリフトに乗り込む。リフトから降りて近くの適当な緩斜面で雪面に腰を降ろして滑らないようにする。外していたブーツをビンディングに装着し起き上がり滑り出す。以上のことの繰り返しであるが、本発明はリフトから降りてブーツを履くときに、スノーボード（１９）を雪面より少し上げてストッパー装置の取っ手（１５）を持ち、前方に押し出し部材の中の段部（１８）をスノーボードの金属エッジ部（１９）に引っ掛けるか図ー４のストッパー装置の背を押し出す。その後固定されているほうの足でスノーボード（１７）を下げ、体重を掛けると雪面に楔形状と凹凸が雪面を捉えスノーボードが固定される。フリー側の片足をビンデング上に乗せ固定した後に、左右の安全を確認し、両足を後方に抜重することにより（１９）から（１８）が外れ、各スプリングにより形状が元にもどる。または手でレバー（１５）を強く倒すことによりスノーボードが押されエッジ（１９）から外れ滑り出せる状態になる。
スキー場によっては、ブーツ装着用イスなどが用意されている場合があり、ストッパー装置が不必要な場合は吸盤（５）のタブ、接着板のタブを引っ張り剥がす。またネジの場合は上まで緩めることにより、ストッパー装置を外すことが出来る。
ストッパー装置をまた装着する場合、ネジ、吸盤、接着シートの再取り付けを行なう。
【発明の効果】
今までのスノーボード用ストッパーは体重がストッパー全体に掛かっていたが、本発明は上からと下から力が集中してかかる部分がスノーボードの金属エッジ部（１９）に位置をあわせてあるため小さい面積で大きな圧力に耐えることが出来るようになっている、そのために小型化と軽量化が達成出来そして取り付け方法もネジ、吸盤、接着（５）（６）（７）方法が可能となった。
【図面の簡単な説明】
【図１】スノーボード用ストッパー装置の概要図とストッパーの取り付けパターンである。
【図２】ストッパー１装置の展開図である。
【図３】ストッパー１装置の動作図である。
【図４】ストッパー１装置の連続動作図である。
【図５】ストッパー２装置の展開図と動作図である。
【図６】ストッパー３装置の図と動作図である。
【図７】引っ張りゴム模様図
【符号の説明】
１    スノーボード本体
２    ストッパー１装置
３    ストッパー２装置
４    ストッパー３装置
５    吸盤
６    接着板
７    ネジ止め板
８    ステー
９    取り外しタブ
１０    ビンデング
１１    ブーツ
１２    ストッパー本体部材１
１３    ストッパー本体部材２
１４    ストッパー本体部材３
１５    取っ手
１６    スプリング
１７    スノーボード端部
１８    段形状部
１９    金属エッジ部
２０    楔形状部
２１    接着シート
２２    引っ張りゴム
２３    滑り止めゴム
２４    吸盤レバー
【図１】
2004215812.tif 000003
【図２】
2004215812.tif 000004
【図３】
2004215812.tif 000005
【図４】
2004215812.tif 000006
【図５】
2004215812.tif 000007
【図６】
2004215812.tif 000008
【図７】
2004215812.tif 000009